(57)【要約】【課題】  電池の取り出し操作を容易にした信頼性の高いカメラを提供する。【解決手段】    カメラ本体１は、電池１５を収納するための電池収納部と、電池収納部に収納された電池１５を係止するための電池ロック２７と、電池収納部を覆う電池ふた２０と、電池ロック２７の動作を電池ふた２０の動作に連動させるカム部とを有し、カム部は、電池収納部を覆った電池ふた２０が開いて第１の開度に至るまで電池ロック２７の係止状態を維持し、電池ふた２０が第１の開度を超えたとき電池ロック２７の係止状態を解除する機構を備える。【選択図】  図２
2009110874.tif 000002
【特許請求の範囲】
【請求項１】
電池を収納するための電池収納部と、
前記電池収納部に収納された電池を係止するための係止部材と、
前記電池収納部を覆うふた部材と、
前記係止部材の動作を前記ふた部材の動作に連動させる連動部材と、を有し、
前記連動部材は、前記電池収納部を覆った前記ふた部材が開いて第１の開度に至るまで前記係止部材の係止状態を維持し、該ふた部材が該第１の開度を超えたとき該係止部材の該係止状態を解除する機構を備えることを特徴とする電子装置。
【請求項２】
前記電子装置は、前記ふた部材を開く方向に付勢力を与える第１の付勢部材と、
前記係止部材の前記係止状態を維持するために、前記第１の付勢部材の付勢力より強い付勢力を与える第２の付勢部材と、を有し、
前記第１の付勢部材及び前記第２の付勢部材は、前記ふた部材が開いたとき、該ふた部材の開度を前記第１の開度に保持することを特徴とする請求項１記載の電子装置。
【請求項３】
前記電子装置は、前記ふた部材が開いたことを検知する検知手段と、
前記ふた部材が開いたことを前記検知手段が検知したときにシャットダウン動作を行う制御手段と、を有し、
前記連動部材は、前記制御手段が前記シャットダウン動作を完了してから前記係止部材の前記係止状態を解除することを特徴とする請求項１又は２記載の電子装置。
【請求項４】
前記電子装置は、メモリカードを収納するために、前記ふた部材に覆われるメモリカード収納部と、
前記ふた部材が開いて前記第１の開度を保持しているときに、前記メモリカード収納部に収納されている前記メモリカードを取り出すための取出機構と、を有することを特徴とする請求項１乃至３のいずれか一に記載の電子装置。
【請求項５】
電池を収納するための電池収納部と、
前記電池収納部を覆うふた部材と、
前記電池収納部に収納された前記電池を係止するための電池係止部、及び、前記電池収納部を覆った前記ふた部材を係止するためのふた係止部を備えた係止部材と、
前記係止部材を基準位置から第１の方向及び該第１の方向とは反対の第２の方向に摺動させるための操作部材と、を有し、
前記電池及び前記ふた部材は、前記係止部材が前記基準位置に位置するとき、前記電池係止部及び前記ふた係止部によりそれぞれ係止され、
前記操作部材は、前記係止部材を前記第１の方向に摺動させたとき、前記ふた係止部による前記ふた部材の係止が解除されて該ふた部材が開き、
前記ふた部材が開いた状態で前記係止部材を前記第２の方向に摺動させたとき、前記電池係止部による前記電池の係止が解除されて該電池が取り出されることを特徴とする電子装置。
【請求項６】
前記ふた部材は、該ふた部材が前記ふた係止部により係止されているとき、前記係止部材が前記第２の方向に摺動するのを妨ぐための当接部を有することを特徴とする請求項５記載の電子装置。
【発明の詳細な説明】
【技術分野】
【０００１】
本発明は電子装置に関し、特に、電池収納部を備えた小型の電子装置に関する。
【背景技術】
【０００２】
デジタルカメラなどの小型携帯式の電子装置に使用される電池の収納部の構造については、従来から種々の方式が提案されている。
【０００３】
例えば、特許文献１には、角型の専用充電池を用いたカメラが記載されている。このカメラを図１６に示す。図１６は、カメラの電池ふたを開けた状態において、カメラ背面の下側から見た外観図である。
【０００４】
本図において、１０１はカメラ本体、１０２は電池の入口を閉塞する電池ふたである。電池ふた１０２は、閉じた状態からカメラ本体１０１の手前に摺動させてから放すと、回転軸１０３に巻きつけられた開きバネ１０４のバネ力で回転して開く。
【０００５】
１０５は略長方体形状のリチウムイオン電池、１０６はメモリカード、１０７は電池ロックである。電池ロック１０７は不図示の軸を中心に回動し、リチウムイオン電池１０５が不図示の排出バネに押されて排出されるのを係止するように設けられている。これは、電池フタ１０２を開いたときにリチウムイオン電池１０５が不用意に飛び出し、本体への電源供給が急に切れないようにするためである。リチウムイオン電池１０５を取り出す際は、電池ロック１０７を指で本体外側に回動させることで係止が外れ、排出バネの力によりリチウムイオン電池１０５が取り出される。
【０００６】
また、特許文献２に示すデジタルカメラにおいては、電池ロック部材が電池ふたの外に配置される。ユーザの手で電池ふたを開けた後に電池ロック部材をスライドさせると、電池が取り出される。
【０００７】
また、従来、２段階にスライド可能な電池ふたと電池ふたの２段階目のスライドに連動してロックが解除される電池ロックを有するデジタルカメラがある。このデジタルカメラは、電池ふたの１段目のスライドで記録メディアの取り出しが可能になり、２段目のスライドで電池ふたが回動可能となるとともに電池ロックが解除されて電池が取り出される。
【特許文献１】特開２００６−２１０２５１号公報
【特許文献２】特開２００６−１８６４９１号公報
【発明の開示】
【発明が解決しようとする課題】
【０００８】
しかしながら、近年、機器の小型化が進み、電池も小型化されている。このため、特許文献１に記載される構造では、電池ロック部材も小型化されることにより、電池の取り出し操作が困難になる。
【０００９】
また、特許文献２に記載される構造では、電池操作部材が電池ふたの外に設けられている。しかし、電池ふたのロックが設けられていないため、電池ふたが不用意に開いてしまう恐れがある。電池ふたにロック部材が設けられていたとしても、操作が煩わしくなり、また、少ないスペースに操作部材が２つ配置されることで外観的にも煩わしくなる場合がある。さらに、電池を取り出しやすくすると、不用意な操作で電池を取り出してしまい、記録中の電源断による画像ファイルの破壊などに結びつく恐れがある。
【００１０】
また、２段階にスライド可能な電池ふたを有する上記デジタルカメラでは、電池カバーのスライド動作のみで記録メディアの取り出しと電池の取り出しが可能である。このため、電池ロックを解除するための部材を小型化する必要がなく、機器を小型化しても電池の取り出し操作を保つことができる。しかし、記録メディアを取り出す際、電池カバーを１段目までスライドさせるが、スライド動作が多すぎると電池カバーが開いてしまうことがある。そのため、予期せずに電源が切れてしまい、例えば記録中の画像ファイルが破壊される可能性がある。
【００１１】
本発明は、電池の取り出し操作を容易にした信頼性の高い電子装置を提供する。
【課題を解決するための手段】
【００１２】
上記の課題を解決するために、本発明の電子装置のうち代表的な一つは、電池を収納するための電池収納部と、前記電池収納部に収納された電池に係止するための係止部材と、前記電池収納部を覆うふた部材と、前記係止部材の動作を前記ふた部材の動作に連動させる連動部材とを有し、前記連動部材は、前記電池収納部を覆った前記ふた部材が開いて第１の開度に至るまで前記係止部材の係止状態を維持し、該ふた部材が該第１の開度を超えたとき該係止部材の該係止状態を解除する機構を備える。
【００１３】
本発明のその他の特徴は、以下の実施例の中で説明される。
【発明の効果】
【００１４】
本発明の電子装置によれば、電池の取り出し操作を容易にした信頼性の高い電子装置を提供することができる。
【発明を実施するための最良の形態】
【００１５】
以下、本発明の実施例について、図面を参照しながら詳細に説明する。
【実施例１】
【００１６】
図１に、本発明の実施例１における電子装置の外観図を示す。本実施例では、電子装置としてカメラを用い、このカメラに本発明を適用した一例を示している。
【００１７】
１はカメラ本体であり、１ａはグリップ部である。２０は、電池を収納するための電池収納部の入口を閉塞する電池ふたである。電池ふた２０は、電池収納部を覆うふた部材として用いられる。電池を入れてカメラを使用する際には、電池収納部に電池を挿入した上で電池ふた２０を閉じる。一方、例えば電池の充電の際には、電池ふた２０を開けることにより電池が取り出される。電池ふた２０は、カメラ本体１の背面方向に摺動させてから放されることにより、バネの力により回転して開く。
【００１８】
次に、図２にカメラ本体１の電池収納部周辺の分解斜視図を、また、図３に電池ふた周辺の分解斜視図を示す。
【００１９】
１１は第一シャーシ、１２は第二シャーシ、１３は電池収納口、１４は電池ホルダーである。電池収納部はこれらの要素より構成される。１５は略直方体形状をした電池である。電池１５としては、例えばリチウムイオン電池が用いられる。１６はメモリカードである。メモリカード１６は、例えばフラッシュメモリなどの半導体記憶装置からなる。電池収納口１３には、電池挿入口１３ａ、メモリカード挿入口１３ｂ、電池ふた２０の爪部２０ａをかけるための爪受け部１３ｃが設けられている。メモリカード１６は、メモリカード挿入口１３ｂを介して、メモリカード収納部に収納される。
【００２０】
１７は背面にメモリカード１６のコネクタを実装した基板である。基板１７には、電池ふた２０の開閉を検知するための検知スイッチ１８が実装されている。検知スイッチ１８は、電池ふた２０が開いたことを検知する検知手段として機能する。基板１７は、電池収納口１３に嵌め込むとともに、第一シャーシ１１及び第二シャーシ１２にねじ止めされる。その際、検知スイッチ１８の検知レバー１８ａは、電池収納口１３の爪受け部１３ｃに設けられた開口部１３ｄに挿入される。
【００２１】
検知レバー１８ａは、電池ふた２０を閉じた状態では、電池ふた２０の爪部２０ａに押されるように配置されている。このため、電池ふた２０をカメラ本体１の背面側にスライドさせると、電池ふた２０の爪部２０ａが検知レバー１８ａを押した状態が解除される。この結果、電池ふた２０が開けられようとしていることが、検知スイッチ１８により検知される。
【００２２】
電池ふた２０が開けられようとしていることを検知スイッチ１８が検知すると、カメラが作動状態の場合、鏡筒が沈胴しているかどうかや、再生しているファイルなど、カメラの状態を不揮発性のメモリに記録する。また、メモリカード１６へ記録中の場合は、記録を中止した上でカメラ各部の電源を遮断するシャットダウン動作が行われる。シャットダウン動作は、カメラ内部に設けられた制御手段により行われる。このとき、カメラ本体１の電池ふた２０が開いても電池１５はまだ係止状態である。このため、電源が突然に切れることはなく、安全にシャットダウン動作を行うことができる。
【００２３】
またカメラが非作動状態の場合は電池ふた２０が開いた状態では、電源ボタンを押してもカメラを起動しない。
【００２４】
電池ホルダー１４には電池を排出するための排出バネ１９が取り付けられている。排出バネ１９は、電池１５を電池収納部から排出する方向に付勢している。
【００２５】
電池ふたユニットは、電池ふた２０、第一プレート２１、及び、第二プレート２２により構成されている。
【００２６】
第一プレート２１は、ステンレス板をプレス加工して形成される。第一プレート２１の摺動部２１ｃ、２１ｄを電池ふた２０の内側に設けられた爪部２０ｂ、２０ｃに嵌めることにより、電池ふた２０が摺動可能になる。また、第一プレート２１の軸受部２１ａ、２１ｂには回転軸２３が貫通する。回転軸２３は、第一シャーシ１１の軸受１１ａ及び電池収納口１３の軸受１３ｅに取り付けられる。電池ふた２０は、回転軸２３に支えられることにより、開閉動作が可能になる。
【００２７】
第二プレート２２は、第一プレート２１より薄い板バネ材をプレス加工して形成される。また第二プレート２２は、電池ふた２０にビス２５、２６を用いて締結される。第二プレート２２は、電池ふた２０と一体的に摺動するとともに、第一プレート２１が電池ふた２０から外れないように構成されている。また、第二プレート２２にはクリック凸部２２ａが設けられている。クリック凸部２２ａを第一プレート２１に設けたクリック穴２１ｇに係合させることで、摺動動作時にクリック感が得られる。
【００２８】
２４は回転バネである。回転バネ２４は、電池ふた２０を開く方向に付勢する第１の付勢部材として機能する。回転バネ２４は、回転軸２３に貫通して取り付けられ、電池ふた２０を閉じた状態から開いた状態へ回転するように、常に付勢している。
【００２９】
以上の構成により、電池ふた２０を閉じてカメラ本体１の正面側にスライドさせた状態では、電池ふた２０の爪部２０ａが電池収納口１３の爪受け部１３ｃに係合する。このため、電池ふた２０が開かないようになる。また、電池ふた２０をカメラ背面側にスライドさせると電池ふた２０の爪部２０ａと電池収納口１３の爪受け部１３ｃの係合が外れる。このため、回転バネ２４の付勢力により、電池ふた２０が回動する。
【００３０】
２７は電池ロックである。電池ロック２７は、電池収納部に収納された電池１５を係止するための係止部材として用いられる。電池ロック２７は、電池ふた２０の開度が所定の開度より小さいとき、電池１５の端面に当接して電池１５を固定し、電池ふた２０が開いて所定の開度を超えると電池１５の端面から離れて電池１５への係止が解除される。
【００３１】
電池ロック２７は、軸穴２７ａ、電池係止部２７ｂを持つ。軸穴２７ａは、回転軸２３にスライド可能に嵌合している。そして、電池ロック２７は、電池ロックバネ２８により、電池１５の方向に付勢されている。電池ロックバネ２８は、電池ロック２７を電池１５に当接させる方向に付勢力を与える第２の付勢部材として機能する。このため、電池ロック２７は、電池１５が挿入されている場合、電池係止部２７ｂが電池１５に係止することにより電池１５の排出を防止する。
【００３２】
また、電池ロック２７は、カム面を有するカム部２７ｃを有する。カム部２７ｃは、第一プレート２１のカム部２１ｆに対向して配置されている。カム部２１ｆは、第一プレート２１の軸受け部２１ｂの一端に一体として形成されている。第一プレート２１の軸受け部２１ｂは、回転軸２３を回転を支える軸受け部である。第一プレート２１のカム部２１ｆは、係止部材としての電池ロック２７の動作を電池ふた２０の動作に連動させる連動部材として用いられる。連動部材としてのカム部２１ｆは、電池ふた２０を開いて回動させると、電池ロック２７のカム部２７ｃと当接する。ただし、このときカム部２７ｃは、カム部２１ｆと当接しているだけであり、カム部２１ｆとの距離は変わらない。このため、カム部２１ｆは、まだ、電池ロック２７による電池１５の係止状態を維持している。
【００３３】
カム部２１ｆ及びカム部２７ｃが当接する面は、互いにカム面になっている。このため、カム部２１ｆは、電池ふた２０がさらに開いて第１の開度を超えると、カム部２７ｃをカム部２１ｆから離す方向に移動させ始める。カム部２７ｃは電池係止部２７ｂを有する電池ロック２７と一体に構成されているため、カム部２１ｆは、電池ふた２０が第１の開度を超えたとき、電池ロック２７による電池１５の係止状態を解除する。このため、電池１５は、排出バネ１９により電池収納部から外部へ取り出される。
【００３４】
上記のとおり、連動部材としてのカム部２１ｆは、電池ふた２０が開いて第１の開度に至るまで電池ロック２７の係止状態を維持する。一方、カム部２１ｆは、電池ふた２０の開度が第１の開度を超えたとき、電池ロック２７の係止状態を解除する。このように、カム部２１ｆは、電池ふた２０の開度に応じて、電池ロック２７の係止状態を維持又は解除する機構を備えている。
【００３５】
ここで、電池ロック２７の係止状態とは、カム部２７ｃがカム部２１ｆにより電池１５から離れる方向に移動するための力を受けていない状態をいう。電池ロック２７は、電池１５が取り出されるときに移動する方向とは垂直な方向から電池１５を固定するための力を加える。このため、電池ロック２７が係止状態のとき、電池収納部に収納された電池１５は、外部に取り出されない。したがって、電池ふた２０が第１の開度に至るまでは、電池ロック２７の係止状態は維持されるため、電池１５は外部に取り出されない。
【００３６】
一方、電池ふた２０が第１の開度を超えると、電池ロック２７の係止状態が解除される。このとき、カム部２７ｃはカム部２１ｆに押され、電池ロック２７は、電池１５に当接するために与えられる力の方向とは反対方向に移動する。この結果、電池１５を固定するための電池１５は排出バネ１９により外部に取り出される。
【００３７】
回転バネ２４は、電池ふた２０を開く方向に付勢力を与える第１の付勢部材である。電池ロックバネ２８は、電池ロック２７の係止状態を維持するために、回転バネ２４の付勢力より強い付勢力を与える第２の付勢部材である。
【００３８】
本実施例では、電池ふた２０を開く方向に付勢する回転バネ２４の付勢力と、電池ロック２７を電池１５に当接させる方向に付勢力を与える電池ロックバネ２８の付勢力との関係が重要となる。第２の付勢部材としての電池ロックバネ２８の付勢力は、第１の付勢部材としての回転バネ２４の付勢力より強い。
【００３９】
この関係を満たすことにより、電池収納部を覆った電池ふた２０が開いたとき、電池ふた２０は回転バネ２４の付勢力により第１の開度に至るまで回動する。
【００４０】
一方、電池ふた２０が第１の開度に至ると、カム部２１ｆがカム部２７ｃと当接する。このとき、カム部２７ｃを設けた電池ロック２７は、電池ロックバネ２８により電池１５に当接する方向に付勢力を受けている。電池ロックバネ２８による付勢力は、カム部２１ｆがカム部２７ｃを移動させようとする力の対抗力となる。上記のとおり、電池ロックバネ２８の付勢力は、回転バネ２４の付勢力より強い。このため、電池ふた２０が第１の開度に至ると、カム部２７ｃはカム部２１ｆによる回動を妨げられる。この結果、電池ロックバネ２８の付勢力を回転バネ２４の付勢力より強いことにより電池収納部を覆った電池ふた２０が開いたとき、電池ふた２０は第１の開度に保持される。
【００４１】
ユーザが電池１５を取り出す場合には、第１の開度に保持された電池ふた２０を、第１の開度を超える方向に力を加え、電池ふた２０をさらに回動させる。電池ロックバネ２８に対抗する力を外部から加えて電池ふた２０が第１の開度を超えたとき、電池１５は排出バネ１９により外部へ取り出される。
【００４２】
電池ロックバネ２８の付勢力が回転バネ２４の付勢力より弱いと、電池ふた２０が開いたときに、第１の付勢部材の付勢力により電池ロック２７もそのまま外れてしまう。この構成では、突然に電池１５が取り出されてしまい、予期せずに電源が切れる可能性がある。一方、本実施例のように、電池ロックバネ２８の付勢力を回転バネ２４の付勢力より強くすることにより、突然に電池１５が取り出されることはない。
【００４３】
本実施例では、連動部材としてのカム部２１ｆは、カメラの制御手段がシャットダウン動作を完了してから電池ロック２７の係止状態を解除する。すなわち、電池収納部を覆った電池ふた２０が開いたときには、電池ふた２０が第１の開度に至るまでに、検知スイッチ１８が電池ふた２０が開いたことを検知し、制御手段がシャットダウン動作を完了する。
【００４４】
電池ふた２０は、電池収納部のほかに、メモリカード収納部を覆う。メモリカード収納部は、メモリカード１６を収納するために設けられている。また、電池ふた２０が開いて第１の開度を保持しているとき、メモリカード収納部に収納されているメモリカード１６を取り出す取出機構が設けられている。本実施例の構成によれば、電池１５が電池収納部より排出されることなく、メモリカード１６を容易に交換することができる。
【００４５】
次に、電池ロック２７の動作について、図４乃至図６を参照しながら詳細に説明する。
【００４６】
図４は、電池ふたユニット周辺をカメラ本体１の背面下側より見た外観図である。電池ふたユニットの開閉状態により（ａ）乃至（ｃ）の三状態を示している。すなわち、図４（ａ）は電池ふた２０を閉じた状態、図４（ｂ）は電池ふた２０をカメラ本体１の手前にスライドさせて手を放した状態、図４（ｃ）は電池ふた２０をさらに開けた状態である。
【００４７】
図５は、電池ロック２７周辺を電池ふた２を外してカメラ本体１の下から見た図である。図５（ａ）乃至図５（ｃ）の状態は、図４（ａ）乃至図４（ｃ）と対応している。
【００４８】
図６は、第一プレート２１のカム面２１ｆ及び電池ロック２７のカム部２７ｃの関係を示した断面図である。図６（ａ）乃至図６（ｃ）の状態は、図４（ａ）乃至図４（ｃ）と対応している。
【００４９】
電池ふた２０を閉じた状態では、図６（ａ）に示すように、第一プレート２１のカム面２１ｆ及び電池ロック２７のカム部２７ｃは、互いに離れた状態にある。このため、電池ロック２７は電池ロックバネ２８によって電池１５の係止位置に保持される。この結果、電池１５は電池ロック２７により固定される。
【００５０】
この状態で、電池ふた２０をカメラ本体１の背面側にスライドさせて手を離す。すると、回転バネ２４の付勢力により、電池ふた２０は開こうとする。そして、図６（ｂ）に示すように、第一プレート２１のカム面２１ｆ及び電池ロック２７のカム部２７ｃが互いに接する。上述のとおり、電池ロックバネ２８の付勢力は、回転バネ２４の付勢力により電池ロック２７が移動しない程度に設定されている。このため、図４（ｂ）に示すように、第１の開度で開いた電池ふた２０は係止状態を維持する。すなわち、電池１５は、電池ロックバネ２８の付勢力により、電池ロック２７により固定されたままとなる。電池１５は係止状態が維持されるため、排出バネ１９によって電池収納部より外部へ取り出されることはない。
【００５１】
このとき、メモリカード１６が取り出せるように、電池ふた２０の第１の開度は適切な大きさに設定されている。このため、電池１５が電池収納部より排出されることなく、取出機構によりメモリカード１６を容易に交換することができる。本実施例のメモリカード１６は、電池ふた２０が第１の開度にあるとき、取出機構によりメモリカード収納部から取り出される。なお、メモリカード１６は、少なくとも、電池ふた２０が第１の開度にあるときに取り出せればよい。このため、電池ふた２０が第１の開度を超えたときにも取り出すことは可能である。また、電池ふた２０が第１の開度より小さい場合にも、第１の開度に近い大きさであれば取り出すことは可能である。
【００５２】
次に、図４（ｂ）の状態から図４（ｃ）の状態に電池ふた２０を回動させると、第一プレート２１のカム面２１ｆ及び電池ロック２７のカム部２７ｃにより、電池ロック２７が図５（ｃ）に示す位置に移動し、電池１５の係止が解除される。すなわち、電池ロック２７は電池１５から離れる。このため、電池１５は、排出バネ１９の力によって電池収納部から外部へ取り出される。
【００５３】
このように、電池ふた２０は回転軸２３に軸支されている。また、電池ロック２７は電池ふた２０を軸支するための回転軸２３に、スライド可能に嵌合している。
【００５４】
以上のとおり、本実施例では、電池ふた２０はカム面２１ｆを有する。また、電池ロック２７はカム面２１ｆに当接する当接部となるカム部２７ｃを有する。電池ふた２０が開いて第１の開度に至るまで、カム面２１ｆと当接部であるカム部２７ｃとは離れている。一方、電池ふた２０が開くことにより電池ふた２０が第１の開度を超えたとき、カム面２１ｆは電池ロック２７の当接部であるカム部２７ｃに当接し、電池ロック２７が電池１５から離れる動作を開始する。このため、ユーザは、電池ふた２０を操作するだけで電池を取り出すことができるため、電池の取り出し操作が容易になる。
【００５５】
また、電池ふた２０が係止状態を維持する第１の開度に至るまでに、電池ふたが開いたことを検知手段により検知され、制御手段がシャットダウン動作を完了する。よって、信頼性の高いカメラを提供することができる。
【００５６】
さらには、電池ふたの回動軸と電池の係止部材のスライドの軸とを同一にしている。このため、簡単な構造で電池ふたと電池の係止部材の組み付け精度が向上し、部品点数の削減も図れる。
【００５７】
なお、本実施例においては、電池ふたのスライド動作によってふたの係合を外し、電池ふたが開動作するように構成した。ただしこれに限られず、スライドレバーのスライド動作、又は、押しボタン等により電池ふたの係合をはずして、電池ふたが開動作するように構成することもできる。
【実施例２】
【００５８】
次に、図７乃至１０を参照しながら本発明の実施例２について詳細に説明する。
【００５９】
図７に、本発明の実施例２におけるカメラ本体１０の電池収納部周辺の分解斜視図を示す。
【００６０】
本図において、５１は電池収納部、５２は電池の入口を閉塞する電池ふたである。電池ふた５２は、図８にも示されるように、軸５２ａ及び軸５２ｂを持つ。軸５２ａ及び５２ｂは、電池収納部５１の長穴５１ａ及び対面にある不図示の長穴によってスライド及び回転可能に保持されている。電池ふた５２を図７中の右側に押し込んだ状態では、電池ふた５２の爪部５２ｅ及び５２ｆが電池収納部５１内の不図示の爪部に係合して、電池ふた５２が回動しないようになっている。
【００６１】
５３は略直方体形状をした電池である。電池５３は、電池収納部５１内に設けられた不図示の電池排出バネにより、電池収納部５１から外部へ排出する方向に付勢されている。５４はメモリカードであり、５５は背面にメモリカード５４のコネクタ５６を実装した基板である。基板５５には、電池ふた５２の開閉を検知するための検知スイッチ５７が実装されている。
【００６２】
基板５５は、ねじ５８，５９により電池収納部５１に固定される。検知スイッチ５７の検知レバー５７ａは、電池収納部５１に設けられた開口部５１ｂに挿入される。検知レバー５７ａは、電池ふた５２を押し込んだ状態では、電池ふた５２の凸部５２ｃによって押された状態になるように配置されている。このため、電池ふた５２を図７中の左側に引き出すと、爪部５２ｃが検知レバー５７ａを押した状態が解除される。このようにして、電池ふた５２が開けられようとしていることが検知スイッチ５７により検知される。
【００６３】
このとき、実施例１と同様に、カメラが作動状態の場合、メモリカードへの記録を中止するなどのシャットダウン動作が行われる。このとき、電池ふた５２が開いても電池５３はまだ係止状態を保持しているため、電源が突然切れることは無い。したがって、シャットダウン動作が完全に行われる。
【００６４】
６０は電池コネクタ６１を実装した電源基板である。電源基板６０は、基板５５とはフレキ部６０ａによって接続される。電池コネクタ６１は不図示の端子部が電池５３に設けられた出力端子５３ａ、５３ｂ、５３ｃに接触する様に電池収納部５１に組み込まれる。
【００６５】
６２は電池ロックである。電池ロック６２は、電池５３を係止するための係止部材として用いられる。電池ロック６２は、図９に示すように軸穴６２ａ、電池係止部６２ｂを有し、回転軸６３によって軸支されている。電池ロック６２は、回転軸６３に支えられた電池ロックバネ６４により、電池５３の方向に付勢されている。電池ロックバネ６４は、第２の付勢部材である。
【００６６】
なお、本実施例のカメラは、電池ふた５２を回動させるための第１の付勢部材を有しない。このため、電池ふた５２はユーザの手動操作により回動される。ただし、第１の付勢部材を設けることも可能である。このとき、実施例１と同様に、電池ふた５２は第１の付勢部材により第１の開度に至るまで回動する。
【００６７】
電池５３が挿入されている場合、電池係止部６２ｂにより電池５３を係止する。このため、電池５３を外部へ取り出すことはできない。また、電池ロック６２は電池ふた５２に設けられたカム部５２ｄに係合可能な位置に軸６２ｃを持つ。カム部５２ｄは、電池ロック６２の動作を電池ふた５２の動作に連動させる連動部材として用いられる。これにより、電池ふた５２の回動によってカム部５２ｄと軸６２ｃが当接し、さらなる回動によって電池ロック６２を電池ロックバネ６４の力に抗して電池５３から遠ざかる方向に回転させる。そのため、電池ロック６２の係止状態が解除され、電池５３が不図示の排出バネより電池収納部５１より排出される。
【００６８】
電池ふた５２及び電池ロック６２の動作について、図１０を用いて詳しく説明する。
【００６９】
図１０は電池ふた５２のカム部５２ｄと電池ロック６２に設けられている軸６２ｃの関係を示した断面図であり、電池収納部５１及び電池ふた５２の一部をカットして表示している。図中（ａ）は電池ふた５２を閉じた状態、（ｂ）は電池ふた５２を矢印方向にスライドした状態、（ｃ）は電池ふた５２を回動させた状態、（ｄ）は（ｃ）の状態からさらに回動した状態を示している。
【００７０】
電池ふた５２を閉じた状態では、電池ふた５２の爪部５２ｅ及び５２ｆが電池収納部５１内の不図示の爪部に係合して、電池ふた５２が回動しない構成となっている。また、図１０（ａ）に示すように、電池ふた５２のカム部５２ｄと電池ロックの軸６２ｃは離れた状態にあるので、電池ロック６２は電池ロックバネ６４によって電池５３の係止位置に保持される。
【００７１】
この状態で、電池ふた５２を図１０（ｂ）に示す矢印の方向に引き出すと、電池ふた５２の爪部５２ｅおよび５２ｆと電池収納部５１内の不図示の爪部の係合が外れて、電池ふた５２が回動可能となる。また、前記したように、電池ふた５２の爪部５２ａが検知レバー５７ａから離れ、電池ふた５２が開けられようとしていることが検知される。
【００７２】
図１０（ｂ）の状態からふたを略９０度回動させると、図１０（ｃ）に示すように、電池ふた５２のカム部５２ｄと電池ロック６２の軸６２ｃが係合する。この状態で、メモリカード５４が取り出せるため、電池５３を取り出すことなくメモリカード５４を交換することができる。
【００７３】
しかし、電池ふた５２が第１の開度まで開いても、電池ロック６２の係止状態は維持されている。なお、本実施例では、略９０度回動させたときの電池ふた５２の開度を第１の開度としている。ただし、これに限らず他の開度を第１の開度とすることもできる。
【００７４】
次に、図１０（ｄ）に示されるように、電池ふた５２の突き当て面５２ｇが電池収納部５１に突き当たるまで電池ふた２０を回動させると、電池ロック６２の軸６２ｃは、電池ふた５２のカム部５２ｄにより押される。このように、電池ふた５２が第１の開度を超えると、電池ロック６２が回動して電池５３に対する電池ロック６２の係止状態が解除される。この結果、電池５３が不図示の排出バネによって電池収納部５１から外部へ取り出される。
【００７５】
上述のとおり、連動部材としてのカム部５２ｄは、電池収納部５１を覆った電池ふた５２が開いて第１の開度に至るまで電池ロック６２の係止状態を維持し、電池ふた５２が第１の開度を超えたとき電池ロック６２の係止状態を解除する。このように、カム部５２ｄは、電池ふた５２の開度に応じて、電池ロック６２の係止状態を維持又は解除する機構を備えている。ユーザは、電池ふた５２の先端を押すだけで電池５３を取り出すことができるため、従来のように小さな電池ロック部材を操作するのに比べて操作がしやすい。
【００７６】
以上のとおり、本発明の実施例によれば、連動部材は、電池を係止するための係止部材の動作を電池ふたの動作に連動させる。このため、電池ふたという比較的大きな部材を直接的に動作させるだけで電池の取り出しが可能になり、操作性が向上する。
【００７７】
また、本実施例のカメラによれば、電池を係止するための係止部材を移動させる前に、電池ふたの開動作が検知される。この結果、カメラのシステムのシャットダウン動作を行わせる時間を確保することができる。したがって、カメラシステムの安全性を確保することができる。
【００７８】
特に、本実施例の連動部材は、電池ふたが第１の開度に至るまで係止部材の係止状態を維持し、電池ふたが第１の開度を超えたとき係止状態を解除する機構を備える。このため、電源が突然に切れることはなく、安全にシャットダウン動作を行うことができる。
【実施例３】
【００７９】
次に、図１１乃至図１５を参照しながら本発明の実施例３について詳細に説明する。
【００８０】
図１１は、実施例３におけるカメラの外観図である。また、図１２及び図１３は、本実施例におけるカメラの電池収納部周辺の分解斜視図である。図１４は、カメラの電池ふた２００を開いた状態を示した図である。
【００８１】
１００はカメラ本体、２００は電池収納部を覆う電池ふたである。電池ふた２００は、回転軸２００ａ、２００ｂを中心に回動する。また、電池ふた２００は、不図示のバネ部材によって、電池ふた２００が開く方向に付勢されている。３００はカメラ本体１００の前カバーであり、４００はカメラ本体１００の後カバーである。
【００８２】
１１０はシャーシであり、１３０は電池収納部である。電池収納部１３０は電池を収納する。１４０は略直方体形状をした電池である。電池１４０としては、例えばリチウムイオン電池が用いられる。１５０は電池排出バネである。電池排出バネ１５０は、電池収納部１３０に組み込まれている。また電池排出バネ１５０は、電池１４０を電池収納部１３０から外部へ排出する方向に付勢している。１６０はメモリカードである。
【００８３】
電池収納部１３０には電池挿入口１３０ａ、メモリカード挿入口１３０ｂ、電池ふた２００の回転軸２００ａ、２００ｂをはめるための軸穴１３０ｃ及び１３０ｄが設けられている。１７０はメモリカード１６０のコネクタ１７０ａを実装した基板であり、その一部に電池ふた２００の開閉を検知するための検知スイッチ１８０が実装されている。
【００８４】
基板１７０は、ビス３００ｃ，３００ｄにより、電池収納部１３０にねじ止めされる。その際、検知スイッチ１８０の検知レバー１８０ａは、電池収納部１３０に設けられた開口部１３０ｅに挿入される。このため、検知レバー１８０ａは、電池ふた２００を閉じた状態において、電池ふた２００に設けられた凸部２００ｃにより押し込まれる。
【００８５】
２１０はロック部材である。ロック部材２１０は、電池収納部１３０にスライド可能に組み込まれた係止部材である。ロック部材２１０周辺の詳細な構造を図１５に示す。
【００８６】
２１０ａは、電池ふた２００の係止爪部（ふた係止部）である。係止爪部２１０ａは、電池ふた２００が開かないように、電池ふた２００の端部に設けられた爪部２００ｄにおいて、電池ふた２００に係止する。また、２１０ｂは電池の係止爪部（電池係止部）である。係止爪部２１０ｂは、電池１４０が排出バネ１５０により排出されないように、電池１４０に係止している。係止爪部２１０ａ、２１０ｂは、ロック部材２１０の一部を構成している。このように、係止部材としてのロック部材２１０は、電池収納部１３０を覆った電池ふた２００を係止するための係止爪部２１０ａ、及び、電池収納部１３０に収納された電池１４０を係止するための係止爪部２１０ｂを備えている。
【００８７】
２２０はロックスプリングである。ロックスプリング２２０は、電池収納部１３０において摺動可能に設けられているロック部材２１０の位置を、スライド範囲の略中央に保持している。ロック部材２１０がスライド範囲の略中央に保持されている場合には、電池１４０が係止爪部２１０ｂによって係止されるとともに、電池ふた２００も電池ふた係止爪２１０ａによって係止される。
【００８８】
２３０は操作部材である。操作部材２３０は、前カバー３００の凹部３００ａに設けられた溝部３００ｂ、及び、後カバー４００の凹部４００ａに設けられた溝部４００ｂに嵌め込まれる。溝部３００ｂ、４００ｂに嵌め込まれた操作部材２３０は、カメラ本体１００の底面において、カメラ本体１００の前後方向に摺動可能に保持される。操作部材２３０は嵌合部２３０ａを備える。嵌合部２３０ａは、ロック部材２１０の嵌合部２１０ｄに嵌め込まれる。このため、操作部材２３０は、外力が加わらない状態では、摺動範囲の略中央に位置する。この位置をロック部材の基準位置とする。
【００８９】
電池ふた２００を閉じた状態において、操作部材２３０をカメラ本体１００の前方（図１４のＡ方向）へスライドさせると、ロック部材２１０もカメラ本体１００の前方へスライドする。この結果、電池ふた２００を係止するための係止爪部２１０ａと電池ふた２００の爪部２００ｄとの間の係止状態が解除される。すなわち、係止爪部２１０ａは、電池ふた２００の爪部２００ｄから離れる。
【００９０】
このように、係止爪部２１０ａと電池ふた２００の爪部２００ｄの係止状態が解除されると、電池ふた２００が不図示のバネによって開けられる。また同時に、検知スイッチ１８０によって電池ふた２００が開けられたことが検知される。このとき、カメラ本体１００が作動状態であった場合には、メモリカード１６０への記録を中止するなどのシャットダウン動作が行われる。シャットダウン動作中、カメラ本体１００の電池ふた２００が開いても電池１４０は係止状態を保持している。このため、シャットダウン動作中に電源が切れることはなく、安全にシャットダウン動作を行うことができる。また、電池ふた２００が開けられると、メモリカード１６０を取り出すことが可能になる。なお、この状態で操作部材２３０を離すと、操作部材２３０及びロック部材２１０は、ロックスプリング２２０のバネ力により、スライド範囲の略中央部に戻される。
【００９１】
次に、電池ふた２００が開いた状態で操作部材２３０をカメラ本体１００の後方（図４のＢ方向）へスライドさせると、電池１４０を押さえていた係止爪部２１０ｂは電池１４０から離れる。この結果、電池１４０は、排出バネ１５０により電池収納部１３０から外部へ押し出される。
【００９２】
この状態で操作部材２３０を離すと、操作部材２３０及びロック部材２１０は、ロックスプリング２２０のバネ力により、再びスライド範囲の略中央部（基準位置）に戻る。
【００９３】
電池１４０を収納する際には、操作部材２３０をカメラ本体１００の後方（図４のＢ方向）へスライドさせる。または、電池１４０により電池の係止爪部２１０ｂを非係止位置へ移動させ、電池１４０を電池挿入口１３０ａに入れる。電池１４０をそのまま電池収納部１３０へ挿入して排出バネ１５０の力に逆らって押し込むと、電池の係止爪２１０ｂはロックスプリング２２０のバネ力により電池非係止位置から係止位置へと移動し、電池１４０が係止される。このときには、操作部材２３０もロック部材２１０とともにスライド範囲の略中央（基準位置）へ戻される。
【００９４】
この状態で電池ふた２００を閉じると、電池ふた２００の爪部２００ｄに設けられた斜面２００ｅとロック部材２１０の係止爪部２１０ａに設けられた斜面２１０ｆが当接する。電池ふた２００をさらに押し込むと、ロック部材２１０がカメラ本体１００の前方（図４のＡ方向）へスライドする。電池ふた２００を押し切ると、斜面の当接が終了し、ロック部材２１０がロックスプリング２２０のバネ力でスライド範囲の略中央へ戻される。このようにして、ロック部材２１０の係止爪部２１０ａと電池ふた２００の爪部２００ｄが係合して、電池ふた２００が開かないようになる。
【００９５】
電池ふた２００が閉じた状態では、ロック部材２１０の係止爪部２１０ａの端部２１０ｅは、電池ふた２００の当接部としての壁部２００ｆに当接している。このため、操作部材２３０の動きは制限され操作部材２３０をカメラ本体１００の後方（図４のＢ方向に移動させることが出来ない。このように、電池ふた２００は、電池ふた２００が係止爪部２１０ａにより係止されているとき、ロック部材２１０が第２の方向（図４のＢ方向）に摺動するのを防ぐための壁部２００ｆを有する。このため、電池の係止爪２１０ｂが電池係止位置から非係止位置へ移動することもない。よって、電池ふた２００が閉じた状態では、誤操作で電池１４０の係止が外れて突然に電源が切れることはない。
【００９６】
このように、操作部材２３０は、ロック部材２１０を基準位置から第１の方向及び第１の方向とは反対の第２の方向に摺動可能である。電池１４０及び電池ふた２００は、ロック部材２１０が基準位置に位置するとき、電池ふたの係止爪部２１０ａ及び電池の係止爪部２１０ｂによりそれぞれ係止される。操作部材２３０によりロック部材２１０を第１の方向（図１４のＡ方向）に摺動させたとき、電池ふたの係止爪部２１０ａによる電池ふた２１０の係止が解除されて電池ふた２００が開く。この状態で、操作部材２３０によりロック部材２１０を第２の方向(図１４のＢ方向)に摺動させたとき、電池の係止爪部２１０ｂによる電池１４０の係止が解除されて電池が取り出される。
【００９７】
なお、本実施例では、構造の簡略化のために、電池ふた２００を係止するためのふた係止部と電池１４０を係止するための電池係止部を同一の部材としている。ただし特にこれに限られず、別部材にて構成してもよい。同様に、ふた係止部と操作部材、又は、電池係止部と操作部材を一体で構成してもよい。
【００９８】
以上のとおり、本発明の実施例１乃至３によれば、電池の取り出し操作を容易にした信頼性の高いカメラを提供することができる。また、小型化した電池係止部材の操作性を向上させるとともに、電源の意図しない遮断を防止して、システム及び記録した画像の安全性を確保することが可能になる。
【図面の簡単な説明】
【００９９】
【図１】実施例１におけるカメラの外観図である。
【図２】実施例１におけるカメラの電池収納部周辺の分解斜視図である。
【図３】実施例１における電池ふた周辺の分解斜視図である。
【図４】実施例１におけるカメラの電池ふたの開閉状態を示した外観図である。（ａ）電池ふたを閉じた状態、（ｂ）電池ふたをカメラ本体の手前にスライドさせて手を放した状態、（ｃ）電池ふたをさらに開けた状態である。
【図５】図４（ａ）乃至（ｃ）に対応した電池ロック周辺の第１断面図である。
【図６】図４（ａ）乃至（ｃ）に対応した電池ロック周辺の第２断面図である。
【図７】実施例２におけるカメラの電池収納部周辺の分解斜視図である。
【図８】実施例２における電池ふたの斜視図である。
【図９】実施例２における電池ロックの斜視図である。
【図１０】実施例２におけるカメラの状態を説明する断面図である。（ａ）電池ふたを閉じた状態、（ｂ）電池ふたを矢印方向にスライドした状態、（ｃ）電池ふたを回動させた状態、（ｄ）（ｃ）の状態からさらに回動した状態である。
【図１１】実施例３におけるカメラの外観図である。
【図１２】実施例３におけるカメラの電池収納部周辺の第１分解斜視図である。
【図１３】実施例３におけるカメラの電池収納部周辺の第２分解斜視図である。
【図１４】実施例３における電池ふたが開いた状態のカメラの底面図である。
【図１５】実施例３におけるカメラのロック部材の周囲を示す断面図である。
【図１６】従来のカメラの外観図である。
【符号の説明】
【０１００】
１、１０、１００‥‥カメラ本体
１１‥‥第一シャーシ
１２‥‥第二シャーシ
１３‥‥電池収納口
１４‥‥電池ホルダー
１５、５３‥‥電池
１６、５４‥‥メモリカード
１７、５５‥‥基板
１８、５７‥‥検知スイッチ
１９‥‥電池排出バネ
２０、５２、２００‥‥電池ふた
２１‥‥第一プレート
２２‥‥第二プレート
２３、６３‥‥回転軸
２４‥‥回転バネ
２５、２６‥‥ビス
２７、６２‥‥電池ロック
２８、６４‥‥電池ロックバネ
５１‥‥電池収納部
５６‥‥メモリカードコネクタ
５８、５９‥‥ビス
６０‥‥電源基板
６１‥‥電源コネクタ
【図３】
2009110874.tif 000003
【図１１】
2009110874.tif 000004
【図１】
2009110874.tif 000005
【図２】
2009110874.tif 000006
【図４】
2009110874.tif 000007
【図５】
2009110874.tif 000008
【図６】
2009110874.tif 000009
【図７】
2009110874.tif 000010
【図８】
2009110874.tif 000011
【図９】
2009110874.tif 000012
【図１０】
2009110874.tif 000013
【図１２】
2009110874.tif 000014
【図１３】
2009110874.tif 000015
【図１４】
2009110874.tif 000016
【図１５】
2009110874.tif 000017
【図１６】
2009110874.tif 000018